(57)【要約】【課題】カメラモジュール用コネクタの実装面積を減少させることができ、しかも、電子機器およびカメラモジュール用コネクタの低背化の要請にも対応できること。【解決手段】コネクタ本体部１０のモジュール収容部１０Ａに配されるコンタクト端子１６ａｉは、配線基板２０のコンタクトパッド２０ｃｐａｉに半田付け固定される分岐部１６Ｆａと、製造時、キャリア２０の連結部２２ａｉに結合される分岐部１６Ｆｂとを有し、その分岐部１６Ｆａが、コンタクト端子１６ａｉの可動片部１６Ａに常に干渉しないもの。【選択図】図１
2009123428.tif 000002
【特許請求の範囲】
【請求項１】
カメラモジュールを着脱可能に収容するモジュール収容部と、
前記モジュール収容部に配され、前記モジュール収容部に収容された前記カメラモジュールを該モジュール収容部が配置される配線基板に電気的に接続する複数のコンタクト端子と、を備え、
前記各コンタクト端子は、前記モジュール収容部に配される前記カメラモジュールの電極部に当接する接点部が形成される可動片部と、該可動片部に対し所定の間隔をもって該可動片部に向けて折り曲げられ前記配線基板のコンタクトパッドに半田付け固定される第１の分岐部と、前記複数のコンタクト端子の成形のとき、キャリアの連結部に結合される第２の分岐部とを前記可動片部に連なって有することを特徴とするカメラモジュール用コネクタ。
【請求項２】
前記コンタクト端子の第１の分岐部は、バックフィレットを形成するように前記配線基板における電極部が形成される面に対し４５°で交差するように折り曲げられていることを特徴とする請求項１記載のカメラモジュール用コネクタ。
【請求項３】
前記コンタクト端子の第１の分岐部は、該コンタクト端子の中心軸線から離隔するように一方に偏倚していることを特徴とする請求項１記載のカメラモジュール用コネクタ。
【請求項４】
前記コンタクト端子の可動片部における接点部が形成される先端部は、前記カメラモジュールの電極部に向けて折り曲げられていることを特徴とする請求項１記載のカメラモジュール用コネクタ。
【発明の詳細な説明】
【技術分野】
【０００１】
本発明は、カメラモジュールを着脱可能に収容できるカメラモジュール用コネクタに関する。
【背景技術】
【０００２】
携帯電話等の比較的小型の電子機器において、カメラモジュールが実用に供されている。カメラモジュールは、例えば、特許文献１にも示されるように、レンズ等の光学系素子および撮像素子等を一体に内蔵するものとされる。そのようなカメラモジュールは、カメラモジュール用コネクタを介して小型電子機器内の配線基板上に配置されている。
【０００３】
カメラモジュール用コネクタは、例えば、特許文献１にも示されるように、カメラモジュールが配設されるモジュール収容部（凹部）を有する筐体と、モジュール収容部内に配されカメラモジュールの底部におけるコンタクトパッド部に電気的に接続されるコンタクトと、カメラモジュールをモジュール収容部に対し保持するモジュール保持金具と、カメラモジュールおよび筐体の一部を覆うシールドカバーとを含んで構成されている。
【０００４】
例えば、図１３に拡大されて示されるように、上述のように薄板金属材料で作られるコンタクト６は、筐体２のモジュール収容部２Ａの周縁にカメラモジュール４の底部におけるコンタクトパッド部４ＣＰに対応して複数個、配されている。コンタクト６は、例えば、配線基板に半田付け固定される半田付け固定端子部６Ｓと、そのコンタクトパッド部に当接し電気的に接続される接点部６Ｃを有する可動片部６Ｂと、弾性を有し半田付け固定端子部６Ｓと可動片部６Ｂとを連結する連結部とから構成されている。
【０００５】
半田付け固定端子部６Ｓは、モジュール収容部の周縁に形成される溝に圧入されている。その際、図１３に示されるように、半田付け固定端子部６Ｓの先端部が、屈曲され筐体２から外部に向けて突出している場合がある。これは、隣接するコンタクト６の相互間隔がより小さくなるに従い、特許文献１に示されるような外部接続片をコンタクトに形成することが困難となる場合があるからである。
【０００６】
また、カメラモジュール４がモジュール収容部２Ａに装着される場合、図１３に示されるように、カメラモジュール４は、筐体２におけるモジュール収容部２Ａ内にモジュール保持金具（不図示）により保持される。その際、カメラモジュール４の底部に形成されるコンタクトパッド部４ＣＰがコンタクト６の接点部６Ｃに当接した状態とされるとき、コンタクト６の可動片部６Ｂの先端が筐体２の底部のスリットから配線基板側に露出する場合がある。
【０００７】
【特許文献１】特開２００６−１７９３１２号公報
【発明の開示】
【発明が解決しようとする課題】
【０００８】
上述のように、コンタクト６の半田付け固定端子部６Ｓの先端部が、屈曲され筐体２から外部に向けて突出している場合、電子機器の小型化に伴うカメラモジュール用コネクタの実装面積を減少させることにも不利となる。また、コンタクト６の可動片部６Ｂの先端が筐体２の底部のスリットから配線基板側に露出する場合、電子機器およびカメラモジュール用コネクタの低背化の要請に反することとなる。
【０００９】
以上の問題点を考慮し、カメラモジュールを着脱可能に収容できるカメラモジュール用コネクタであって、カメラモジュール用コネクタの実装面積を減少させることができ、しかも、電子機器およびカメラモジュール用コネクタの低背化の要請にも対応できるカメラモジュール用コネクタを提供することを目的とする。
【課題を解決するための手段】
【００１０】
上述の目的を達成するために、本発明に係るカメラモジュール用コネクタは、カメラモジュールを着脱可能に収容するモジュール収容部と、モジュール収容部に配され、モジュール収容部に収容されたカメラモジュールをモジュール収容部が配置される配線基板に電気的に接続する複数のコンタクト端子と、を備え、各コンタクト端子は、モジュール収容部に配されるカメラモジュールの電極部に当接する接点部が形成される可動片部と、可動片部に対し所定の間隔をもって可動片部に向けて折り曲げられ配線基板のコンタクトパッドに半田付け固定される第１の分岐部と、複数のコンタクト端子の成形のとき、キャリアの連結部に結合される第２の分岐部とを可動片部に連なって有することを特徴とする。
【発明の効果】
【００１１】
以上の説明から明らかなように、本発明に係るカメラモジュール用コネクタによれば、
コンタクト端子は、モジュール収容部に配されるカメラモジュールの電極部に当接する接点部が形成される可動片部と、可動片部に対し所定の間隔をもって可動片部に向けて折り曲げられ配線基板のコンタクトパッドに半田付け固定される第１の分岐部を有するのでカメラモジュール用コネクタの実装面積を減少させることができ、しかも、電子機器およびカメラモジュール用コネクタの低背化の要請にも対応できる。
【発明を実施するための最良の形態】
【００１２】
図２は、本発明に係るカメラモジュール用コネクタの一例の外観を、カメラモジュールとともに示す。
【００１３】
図２において、カメラモジュール用コネクタは、カメラモジュール１２を着脱可能に収容するモジュール収容部１０Ａ（図５参照）を有するコネクタ本体部１０と、コネクタ本体部１０のモジュール収容部１０Ａを形成する壁部に配され、カメラモジュール１２を配線基板２０（図１参照）に電気的に接続する複数のコンタクト端子１６ａｉ（ｉ＝１〜ｎ，ｎは正の整数）と、カメラモジュール１２をモジュール収容部１０Ａに対し着脱可能に保持する保持部材１４と、を含んで構成されている。
【００１４】
カメラモジュール１２は、図４に拡大されて示されるように、外周部における４箇所に、後述する保持部材１４の係合片１４Ｂおよび１４Ａが係合される凹部１２ＲＡ，１２ＲＢ，１２ＲＣ，および、１２ＲＤをそれぞれ、有している。カメラモジュール１２は、内部にカメラを構成する光学系素子および撮像素子を内蔵している。また、カメラモジュール１２の底面部には、図１に拡大されて示されるように、後述するコンタクト端子の配列に対応した複数のコンタクトパッド１２ｃｐｉ（ｉ＝１〜ｎ，ｎは正の整数）が所定の等しい間隔で二列形成されている。コンタクトパッド１２ｃｐｉは、上述の光学系素子および撮像素子に電気的に接続されている。
【００１５】
コネクタ本体部１０は、例えば、樹脂材料で成形されており、中央部に、カメラモジュール１２の外周部が嵌まり合う凹部としてモジュール収容部１０Ａを有している。モジュール収容部１０Ａの底部を形成する底壁には、図１に示されるように、後述する各コンタクト端子１６ａｉの可動片部１６Ａが挿入されるスリット１０Ｓａｉおよび１０Ｓｂｉ（ｉ＝１〜ｎ，ｎは正の整数）から構成されるスリット群が、二列互いに略平行に形成されている。スリット１０Ｓａｉおよび１０Ｓｂｉは、図６に示されるように、中心線ＣＬを対称軸として対称的に等しい間隔で形成されている。
【００１６】
モジュール収容部１０Ａの一方の側面を形成する一対の側壁の一方側には、図８（Ａ）および（Ｂ）に示されるように、各スリット１０Ｓａｉに臨む溝部１０ＧＡｉ（ｉ＝１〜ｎ，ｎは正の整数）が形成されている。溝部１０ＧＡｉには、後述するコンタクト端子の固定部が圧入される。また、他方側には、各スリット１０Ｓｂｉに臨む溝部１０ＧＢｉ（ｉ＝１〜ｎ，ｎは正の整数）が形成されている。溝部１０ＧＢｉには、後述するコンタクト端子の固定部が圧入される。一方、モジュール収容部１０Ａの他方の側面を形成する一対の側壁には、図６に示されるように、保持部材１４がそれぞれ、設けられている。
【００１７】
保持部材１４は、図８（Ａ）に示されるように、モジュール収容部１０Ａに向けて突出する一対の係合片１４Ａおよび１４Ｂを有している。
【００１８】
カメラモジュール１２がモジュール収容部１０Ａに装着される場合、弾性変位可能とされる係合片１４Ａおよび１４Ｂの先端は、それぞれ、カメラモジュール１２の外周部で下方に向けて一旦、押圧された後、カメラモジュール１２の底部が、図３に示されるように、コンタクト端子１６ａｉの接点部に当接し所定量、押圧されたとき、それ自体の弾性力により復元し、カメラモジュール１２の凹部１２ＲＡ，１２ＲＢ，１２ＲＣ，および、１２ＲＤに係合するものとされる。これにより、カメラモジュール１２がモジュール収容部１０Ａに対し保持されることとなる。
【００１９】
一方、カメラモジュール１２をモジュール収容部１０Ａから取り外すにあたっては、係合片１４Ａおよび１４Ｂが、それぞれ、カメラモジュール１２の凹部１２ＲＡ，１２ＲＢ，１２ＲＣ，および、１２ＲＤから離隔するように押圧されるとき、カメラモジュール１２は、各コンタクト端子１６ａｉの可動片部の弾性力により、押し上げられ、従って、カメラモジュール１２は、取り出し可能な状態とされる。
【００２０】
コンタクト端子１６ａｉは、図１０に拡大されて示されるように、薄板金属材料でプレス加工により一体に成形されており、カメラモジュール１２のコンタクトパッド１２ｃｐｉに当接する接点部１６Ｃを有する可動片部１６Ａと、上述の溝部１０ＧＡｉに圧入され固定される固定部１６Ｆと、可動片部１６Ａと固定部１６Ｆとを連結する連結部１６Ｂとからなる。
【００２１】
可動片部１６Ａは、連結部１６Ｂの一端部に連なり、その端部に対して所定の角度をもって交差している。可動片部１６Ａにおける接点部１６Ｃが形成される先端部は、可動片部１６Ａにおける他の部分に対して所定の角度をもって連結部１６Ｂに近接する方向、即ち、装着されたカメラモジュール１２における電極部としてのコンタクトパッド１２ｃｐｉにより近づくように折り曲げられている。これにより、可動片部１６Ａにおける接点部１６Ｃがカメラモジュール１２のコンタクトパッド１２ｃｐｉに当接する場合、接点部１６Ｃは、図１に示されるように、スリット１０Ｓａｉ、および、１０Ｓｂｉから配線基板側に突出する虞がないのでカメラモジュール用コネクタの低背化が図られる。
【００２２】
連結部１６Ｂの他端部に可動片部１６Ａに対し離隔する方向に逆Ｕ字状に折り曲げられて連なる固定部１６Ｆは、その中心軸線に対し互いに離隔する方向に偏倚した分岐部１６Ｆａおよび１６Ｆｂを先端部に有している。
【００２３】
円弧状の分岐部１６Ｆａは、図１および図７（Ｂ）に拡大されて示されるように、連結部１６Ｂの一端に近接する方向に所定の角度で折り曲げられている。その角度は、配線基板２０におけるコンタクトパッド２０ｃｐａｉが形成される面に対し約４５°で交差するような角度に設定されている。
【００２４】
分岐部１６Ｆａの根元から先端まで長さは、分岐部１６Ｆｂにおけるそれに対応する長さに比して大に設定されている。分岐部１６Ｆａは、図１に示されるように、配線基板２０のコンタクトパッド２０ｃｐａｉに半田付け固定される。
【００２５】
これにより、可動片部１６Ａにおける接点部１６Ｃがカメラモジュール１２のコンタクトパッド１２ｃｐｉに当接する場合、図１に示されるように、分岐部１６Ｆａは、連結部１６Ｂの一端に干渉する虞がなく、しかも、外部に向けて突出していないので実装面積を減少できる。また、半田付け固定のとき、バックフィレットが形成されるので半田付け強度が向上することとなる。
【００２６】
複数のコンタクト端子１６ａｉをプレス加工により同時に製造するにあたり、図１１に拡大されて示されるように、コンタクト端子１６ａｉは、キャリア２２と一体に成形される。キャリア２２は、互いに略平行に所定の間隔で配列される所定数のコンタクト端子１６ａｉを連結している。キャリア２２の連結部２２ａｉ（ｉ＝１〜ｎ，ｎは正の整数）には、それぞれ、各コンタクト端子１６ａｉの分岐部１６Ｆｂが結合されている。各コンタクト端子１６ａｉは、コネクタ本体部１０に組み付けられた後、分岐部１６Ｆｂからキャリア２２に対して切り離される。
【００２７】
従って、カメラモジュール１２のコンタクトパッド１２ｃｐｉの高密度化に伴いコンタクト端子１６ａｉ相互間距離が、より狭くなる場合、即ち、コンタクト端子１６ａｉの固定部１６Ｆの幅が、より狭くなる場合であっても、分岐部１６Ｆｂでキャリア２２の連結部２２ａｉに連結できるのでコンタクト端子１６ａｉの製造方法を変更する必要がない。
【００２８】
一方、図１２（Ａ）および（Ｂ）に示されるような、比較例としてのコンタクト端子２６ａｉ（ｉ＝１〜ｎ，ｎは正の整数）をプレス加工により複数個、同時に製造する場合、キャリア３２と一体に成形される。
【００２９】
コンタクト端子２６ａｉは、カメラモジュール１２のコンタクトパッド１２ｃｐｉに当接する接点部２６Ｃを有する可動片部２６Ａと、上述の溝部１０ＧＡｉに圧入され固定される固定部２６Ｆと、可動片部２６Ａと固定部２６Ｆとを連結する連結部２６Ｂとからなる。固定部２６Ｆの一端には、半田付け固定される端子部２６Ｆａが形成されている。
【００３０】
キャリア３２の連結部３２ａｉ（ｉ＝１〜ｎ，ｎは正の整数）には、それぞれ、各コンタクト端子２６ａｉの端子部２６Ｆａが結合されている。コンタクト端子２６ａｉは、コネクタ本体部１０に組み付けられた後、分岐部２６Ｆａからキャリア３２に対して切り離される。
【００３１】
従って、コンタクト端子２６ａｉに対し表面処理、例えば、金めっきが施される場合、分岐部２６Ｆａの端面から切り離されるので金めっきが施されない破断面が形成されることとなる。
【００３２】
しかしながら、上述のコンタクト端子１６ａｉに対し表面処理、例えば、金めっきが施される場合、分岐部１６Ｆｂから切り離されるので半田付けされる分岐部１６Ｆａに金めっき処理されていない破断面が生じる虞がない。
【００３３】
なお、配線基板２０のコンタクトパッド２０ｃｐａｉは、図９に拡大されて示されるように、コネクタ本体部１０のスリット１０Ｓａｉおよび１０Ｓｂｉ近傍にそれぞれ、一列に所定の間隔で形成されている。
【００３４】
スリット１０Ｓａｉ側のコンタクトパッド２０ｃｐａｉは、図９において、コネクタ本体部１０の中心線ＣＬに対し分岐部１６Ｆａのコンタクト端子１６ａｉの中心線に対する偏倚量に対応して一方向側に偏倚し、一方、スリット１０Ｓｂｉ側のコンタクトパッド２０ｃｐａｉは、図９において、コネクタ本体部１０の中心線ＣＬに対し分岐部１６Ｆａのコンタクト端子１６ａｉの中心線に対する偏倚量に対応して他方向側に偏倚している。
【００３５】
配線基板２０における一対のコンタクトパッド２０ｃｐａｉの配列の両端部には、それぞれ、保持部材１４の固定部に対応して半田付け固定部２０ｋａｉおよび２０ｋｂｉが形成されている。
【００３６】
斯かる構成において、カメラモジュール１２がモジュール収容部１０Ａに取り付けられる場合、先ず、カメラモジュール１２は、その凹部１２ＲＡ，１２ＲＢ，１２ＲＣ，および、１２ＲＤが保持部材１４の係合片１４Ａおよび１４Ｂに向き合った状態で、モジュール収容部１０Ａの真上の位置に配された後、カメラモジュール１２がモジュール収容部１０Ａ内に押し込まれる。これにより、係合片１４Ａおよび１４Ｂの先端は、それぞれ、カメラモジュール１２の外周部で下方に向けて一旦、押圧された後、カメラモジュール１２の底部が、図３に示されるように、コンタクト端子１６ａｉの接点部１６Ｃに当接し所定量、押圧されたとき、係合片１４Ａおよび１４Ｂ自体の弾性力により復元し、カメラモジュール１２の凹部１２ＲＡ，１２ＲＢ，１２ＲＣ，および、１２ＲＤに係合するものとされる。従って、カメラモジュール１２がモジュール収容部１０Ａに対し保持されることとなる。
【００３７】
一方、カメラモジュール１２がモジュール収容部１０Ａから取り外される場合、先ず、保持部材１４の係合片１４Ａおよび１４Ｂが、それぞれ、カメラモジュール１２の凹部１２ＲＡ，１２ＲＢ，１２ＲＣ，および、１２ＲＤから離隔するようにその弾性力に抗して押圧される。これにより、カメラモジュール１２は、各コンタクト端子１６ａｉの可動片部１６Ａの弾性力により、押し上げられ、従って、カメラモジュール１２は、モジュール収容部１０Ａから取り出し可能な状態とされる。
【図面の簡単な説明】
【００３８】
【図１】本発明に係るカメラモジュール用コネクタの一例の要部を、カメラモジュールとともに示す部分断面図である。
【図２】本発明に係るカメラモジュール用コネクタの一例の外観を、カメラモジュールとともに示す斜視図である。
【図３】図２におけるＩＩＩ−ＩＩＩ線に沿って示される断面図である。
【図４】図２に示される例におけるカメラモジュールの外観を示す斜視図である。
【図５】図２に示される例におけるカメラモジュール用コネクタ全体の外観を示す斜視図である。
【図６】図５に示される例における平面図である。
【図７】（Ａ）は、図２に示される例におけるカメラモジュール用コネクタの底部を示す斜視図であり、（Ｂ）は、（Ａ）における一部分を部分的に拡大して示す斜視図である。
【図８】（Ａ）は、図６におけるＶＩＩＩ−ＶＩＩＩ線に沿って示される断面図であり、（Ｂ）は、（Ａ）における一部分を拡大して示す部分断面図である。
【図９】配線基板におけるコンタクトパッドの配列を示す平面図である。
【図１０】図２に示される例において用いられるコンタクト端子を拡大して示す斜視図である。
【図１１】図１０に示されるコンタクト端子が複数個、キャリアに結合されている状態を示す斜視図である。
【図１２】（Ａ）は、比較例としてコンタクト端子を示す斜視図であり、（Ｂ）は、（Ａ）に示されるコンタクト端子が複数個、キャリアに結合されている状態を示す斜視図である。
【図１３】従来のカメラモジュール用コネクタの構成の一部分を概略的に示す部分断面図である。
【符号の説明】
【００３９】
１０    コネクタ本体部
１０Ａ    モジュール収容部
１２    カメラモジュール
１６ａｉ    コンタクト端子
１６Ａ    可動片部
１６Ｆａ    分岐部
１６Ｃ    接点部
２０    配線基板
【図１】
2009123428.tif 000003
【図２】
2009123428.tif 000004
【図３】
2009123428.tif 000005
【図４】
2009123428.tif 000006
【図５】
2009123428.tif 000007
【図６】
2009123428.tif 000008
【図７】
2009123428.tif 000009
【図８】
2009123428.tif 000010
【図９】
2009123428.tif 000011
【図１０】
2009123428.tif 000012
【図１１】
2009123428.tif 000013
【図１２】
2009123428.tif 000014
【図１３】
2009123428.tif 000015